(57)【要約】【課題】圧縮された伝送信号の伝送状態及び波形状態を容易にユーザに監視させることができる波形表示装置を提供する。【解決手段】波形表示装置は、圧縮された映像信号を圧縮されていないパラレルデータに変換する手段（５１）と、パラレルデータを波形表示データに変換する手段（３３）と、圧縮された映像信号の伝送状態を解析し、解析データを生成する手段（５２）と、波形表示データと解析データとを同時に表示する手段（３６）と、を備える。波形表示装置は、ＳＤＩ信号をパラレルデータに変換する手段（３１）と、ＳＤＩ信号の伝送状態を解析し、解析データを生成する手段（３２）と、をさらに備えることができる。【選択図】  図５
2006279175.tif 000002
【特許請求の範囲】
【請求項１】
圧縮された映像信号を圧縮されていないパラレルデータに変換する手段（５１）と、
パラレルデータを波形表示データに変換する手段（３３）と、
圧縮された映像信号の伝送状態を解析し、解析データを生成する手段（５２）と、
波形表示データと解析データとを同時に表示する手段（３６）と、
を備える波形表示装置。
【請求項２】
請求項１に記載の波形表示装置であって、
ＳＤＩ信号をパラレルデータに変換する手段（３１）と、
ＳＤＩ信号の伝送状態を解析し、解析データを生成する手段（３２）と、
をさらに備える波形表示装置。
【請求項３】
請求項２に記載の波形表示装置であって、
パラレルデータを波形表示データに変換する前記手段（３３）は、圧縮された映像信号からの圧縮されていないパラレルデータと、ＳＤＩ信号からのパラレルデータと入力し、
パラレルデータを波形表示データに変換する前記手段（３３）は、ＳＤＩ信号からのパラレルデータを選択することができ、
パラレルデータを波形表示データに変換する前記手段（３３）は、選択されたパラレルデータを波形表示データに変換する、波形表示装置。
【請求項４】
請求項２に記載の波形表示装置であって、
パラレルデータを波形表示データに変換する前記手段（３３）は、圧縮された映像信号からの圧縮されていないパラレルデータと、ＳＤＩ信号からのパラレルデータと入力し、
パラレルデータを波形表示データに変換する前記手段（３３）は、圧縮された映像信号からの圧縮されていないパラレルデータを選択することができ、
パラレルデータを波形表示データに変換する前記手段（３３）は、選択されたパラレルデータを波形表示データに変換する、波形表示装置。
【請求項５】
請求項１に記載の波形表示装置であって、
パラレルデータを波形表示データに変換する前記手段（３３）は、パラレルデータをベクトルスコープデータにも変換し、
波形表示データと解析データとを同時に表示する前記手段（３６）は、ベクトルスコープデータも同時に表示する、波形表示装置。
【請求項６】
請求項５に記載の波形表示装置であって、
パラレルデータを波形表示データ及びベクトルスコープデータに変換する前記手段（３３）は、パラレルデータを映像データにも変換し、
波形表示データ及びベクトルスコープデータと解析データとを同時に表示する前記手段（３６）は、映像データも同時に表示する、波形表示装置。
【請求項７】
請求項１に記載の波形表示装置であって、
圧縮された映像信号を圧縮されていないパラレルデータに変換する手段（５１）は、圧縮された音声信号を圧縮されていない第２パラレルデータに変換し、
波形表示装置はさらに、
第２パラレルデータを音声信号情報データに変換する手段（８１）を、
備え、
波形表示データと解析データとを同時に表示する前記手段（３６）は、波形表示データと音声信号情報データとを同時に表示する、波形表示装置。
【請求項８】
請求項１に記載の波形表示装置であって、前記圧縮された映像信号は、ＴＳ信号形式又はＤＶストリーム形式で圧縮された映像信号である、波形表示装置。
【発明の詳細な説明】
【技術分野】
【０００１】
本発明は、映像信号の波形を表示する装置に関連し、より詳細には、圧縮された映像信号の波形を表示し、且つ圧縮された映像信号の伝送状態を解析する装置に関連する。
【背景技術】
【０００２】
図１は、例えば放送局における映像信号の流れを概略的に説明するための図である。図１に示すように、放送局Ａにおいて、ＭＰＥＧ−ＴＳ（トランスポートストリーム）信号は、ＴＳ出力装置１１からデジタル変調装置１２に流れ、また、例えばＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｔｒａｎｓｍｉｓｓｉｏｎ）形式でデジタル変調されたＴＳ信号は、デジタル変調装置１２からアップコンバータ１３に流れ、さらに、第１の所定の周波数に変換されたＴＳ信号は、放送局Ａから伝送される。なお、ＴＳ出力装置１１の代わりに、ＤＶ（ＤｉｇｉｔａｌＶｉｄｅｏ）ストリームを出力する装置を用いることもでき、この場合において、ＴＳ信号の代わりに、ＤＶストリーム信号が、放送局Ａから伝送される。以下、ＴＳ信号を用いて説明するが、ＴＳ信号の代わりに、ＤＶストリーム信号など、他の形式で圧縮された信号を用いてよい。
【０００３】
放送局Ｂにおいて、伝送されたＴＳ信号は、ダウンコンバータ２１によって第２の所定の周波数に変換され、さらに、デジタル復調装置２２によって、ＴＳ信号に復調される。デジタル復調装置２２から出力されるＴＳ信号は、アナライザ２３に入力され、そこで、ＴＳ信号の伝送状態が解析される。
【０００４】
アナライザ２３は、ＴＳ信号に代表されるようなＭＰＥＧ形式で圧縮された映像信号の伝送状態を解析し、その解析結果を表示する。このようなアナライザ２３は、例えば、以下で示す特許文献１、特許文献２、非特許文献１、非特許文献２等に開示されている。しかしながら、アナライザ２３は、映像信号の波形を表示することができない。したがって、ユーザは、アナライザ２３を用いて、映像信号の波形を監視することができなかった。このような状況において、従来、ユーザは、デコーダ２４及び波形表示装置２５をさらに用意する必要があった。
【０００５】
デジタル復調装置２２から出力されるＴＳ信号は、デコーダ２４にも入力され、また、ＴＳ信号から変換されたＳＤＩ（シリアル・デジタル・インターフェース）信号は、デコーダ２４から波形表示装置２５に流れる。なお、このようなデコーダ２４は、例えば、以下で示す非特許文献３等に開示され、また、このような波形表示装置２４は、例えば、以下で示す非特許文献４等に開示されている。
【０００６】
図２は、波形表示装置２５の概略的な機能ブロック図である。図２に示されるように、ＳＤＩ信号は、変換部３１によってパラレルデータに変換され、また、パラレルデータは、生成部３３によって波形表示データに変換される。場合により、パラレルデータは、生成部３３によってベクトルスコープデータ及び／又は映像データに変換される。生成部３３によって生成されたデータ（例えば、波形表示データ、ベクトルスコープデータ、映像データなど）は、表示用のデータに変換された後で、画像生成部３５に流れ、また、ユーザは、表示部３６に表示されるデータを監視することができる。
【０００７】
また、図２に示されるように、ＳＤＩ信号は、解析部３２によって解析データに変換され、また、解析データは、生成部３４によって表示用の解析データに変換され、さらに、表示用の解析データは、画像生成部３５に流れる。
【０００８】
画像生成部３５は、生成部３３によって生成された表示用のデータ（例えば、波形表示、ベクトルスコープ及び映像を同時に表示するためのデータ）と、生成部３４によって生成された表示用の解析データとを１つの画像（フレーム）データとして統合し、表示部３６に出力する。表示部３６は、１つの画像（フレーム）データを表示する。これにより、ユーザは、生成部３３によって生成されたデータ（例えば、波形表示データ、ベクトルスコープデータ、映像データなど）と、生成部３４によって生成された表示用の解析データとを監視することができる。
【０００９】
図３は、生成部３３によって生成された波形表示データ、ベクトルスコープデータ及び映像データ、並びに、生成部３４によって生成された解析データを表示する１例を表す。
【特許文献１】米国特許第５，７７４，４９７号明細書
【特許文献２】米国特許第６，６５０，７１９号明細書
【非特許文献１】報映産業株式会社、“ＤＶＳｔａｔｉｏｎ（製品情報）”、インターネット＜URL：http://www.hoei.co.jp/japan/product/pixelmetrix/dvstation.html＞
【非特許文献２】Ｔｅｋｔｒｏｎｉｘ，Ｉｎｃ．、“ＭＰＥＧ  Ｔｅｓｔ  Ｓｙｓｔｅｍ（Ｐｒｏｄｕｃｔｓ）”、インターネット＜URL：http://www.tek.com/site/ps/0,,2A-14844-INTRO＿EN,00.html＞
【非特許文献３】ＮＴＴ  Ｅｌｅｃｔｒｏｎｉｃｓ  Ｃｏｒｐｏｒａｔｉｏｎ、“ＨＤＴＶ  Ｄｅｃｏｄｅｒ  ＨＤ１０００（Ｐｒｏｄｕｃｔｓ）”、インターネット＜URL：http://www.nel-world.com/products/systems/hdtv＿en＿de.html＞
【非特許文献４】Ｌｅａｄｅｒ  Ｅｌｅｃｔｒｏｎｉｃｓ  Ｃｏｒｐ．、“ＬＶ  ５７５０（Ｐｒｏｄｕｃｔｓ）”、インターネット＜URL：http://www.leader.co.jp/english/product/lv＿5750＿e.html＞
【発明の開示】
【発明が解決しようとする課題】
【００１０】
圧縮された伝送信号（ＴＳ信号、ＤＶストリーム信号など）の伝送状態及び波形状態を監視するために、ユーザは、アナライザとデコーダと波形表示装置とを用意する必要があった。したがって、ユーザは、アナライザ、デコーダ及び波形表示装置のそれぞれを操作する必要があった。また、ユーザは、アナライザ及び波形表示装置のそれぞれの表示部を監視する必要があった。
【００１１】
本発明の目的は、圧縮された伝送信号の伝送状態及び波形状態を容易にユーザに監視させることができる波形表示装置を提供することである。
本発明の他の目的は、特許請求の範囲、以下に説明する発明の実施形態、及び、図面を参照することにより、当業者によって明らかであろう。
【課題を解決するための手段】
【００１２】
本発明の波形表示装置は、圧縮された映像信号を圧縮されていないパラレルデータに変換する手段（５１）と、パラレルデータを波形表示データに変換する手段（３３）と、圧縮された映像信号の伝送状態を解析し、解析データを生成する手段（５２）と、波形表示データと解析データとを同時に表示する手段（３６）と、を備える。波形表示装置は、ＳＤＩ信号をパラレルデータに変換する手段（３１）と、ＳＤＩ信号の伝送状態を解析し、解析データを生成する手段（３２）と、をさらに備えることができる。
【００１３】
パラレルデータを波形表示データに変換する前記手段（３３）は、圧縮された映像信号からの圧縮されていないパラレルデータと、ＳＤＩ信号からのパラレルデータと入力する。また、パラレルデータを波形表示データに変換する前記手段（３３）は、ＳＤＩ信号からのパラレルデータを選択することができる。あるいは、パラレルデータを波形表示データに変換する前記手段（３３）は、圧縮された映像信号からの圧縮されていないパラレルデータを選択することができる。パラレルデータを波形表示データに変換する前記手段（３３）は、選択されたパラレルデータを波形表示データに変換する。
【００１４】
好ましくは、パラレルデータを波形表示データに変換する前記手段（３３）は、パラレルデータをベクトルスコープデータ及び映像データにも変換し、波形表示データと解析データとを同時に表示する前記手段（３６）は、ベクトルスコープデータ及び映像データも同時に表示する。
【００１５】
圧縮された映像信号を圧縮されていないパラレルデータに変換する手段（５１）は、圧縮された音声信号を圧縮されていない第２パラレルデータに変換し、波形表示装置はさらに、第２パラレルデータを音声信号情報データに変換する手段（８１）を、備えることができる。波形表示データと解析データとを同時に表示する前記手段（３６）は、波形表示データと音声信号情報データとを同時に表示することができ、このとき、前記手段（３６）は、解析データを同時に表示してもよく、また、表示しなくてもよい。
【００１６】
なお、好ましくは、前記圧縮された映像信号は、ＴＳ信号形式又はＤＶストリーム形式で圧縮された映像信号である。
【発明の効果】
【００１７】
波形表示装置において、圧縮された伝送信号（ＴＳ信号、ＤＶストリーム信号など）は、ＳＤＩ信号ではなく、パラレルデータに変換され、その後に、波形表示データに変換される。また、波形表示装置において、圧縮された伝送信号の伝送状態が、解析される。したがって、ユーザは、圧縮された伝送信号の伝送状態及び波形状態を１台の波形表示装置を用いて監視することができる。その結果、ユーザは、波形表示装置の表示部だけを監視すればよいため、圧縮された伝送信号の伝送状態及び波形状態を容易に監視することができる。
【００１８】
さらに、圧縮された伝送信号をＳＤＩ信号に変換する必要がないので、コストを軽減することができる。言い換えれば、圧縮された伝送信号をパラレルデータに変換した後に、パラレルデータからシリアルデータに変換し、シリアルデータをＳＤＩ形式に変換する必要がない。他の効果は、特許請求の範囲、以下に説明する発明の実施形態、及び、図面を参照することにより、当業者によって明らかであろう。
【発明を実施するための最良の形態】
【００１９】
図４は、本発明に従った、例えば放送局における映像信号の流れを概略的に説明するための図である。図１と比べて、図４は、アナライザ２３、デコーダ２４及び波形表示装置２５の代わりに、本発明の波形表示装置４１を示す。また、図５は、本発明の波形表示装置４１の概略的な機能ブロック図を表す。なお、ＴＳ出力装置１１の代わりに、ストリームを出力する装置を用いることもでき、この場合において、ＴＳ信号の代わりに、ＤＶストリーム信号が、放送局Ａから伝送される。以下、ＴＳ信号を用いて説明するが、ＴＳ信号の代わりに、ＤＶストリーム信号など、他の形式で圧縮された信号を用いてよい。
【００２０】
図４に示すように、放送局Ｂにおいて、ＴＳ（トランスポートストリーム）信号は、デジタル復調装置２２から波形表示装置４１に流れる。なお、デジタル復調装置２２において、複数のＴＳが復調される場合、波形表示装置は、複数のＴＳから１つのＴＳを選択する。
【００２１】
変換部５１は、ＴＳ信号の圧縮された映像信号をパラレルデータに変換し、また、生成部３３は、パラレルデータを波形表示データに変換する。好ましくは、生成部３３は、パラレルデータをベクトルスコープデータ及び／又は映像データにも変換する。なお、生成部３３は、パラレルデータから他のデータを生成してもよい。生成部３３は、パラレルデータから生成したデータを表示用のデータ（例えば、波形表示、ベクトルスコープ及び映像を同時に表示するためのデータ）に変換（統合）し、画像生成部部３５に出力する。
【００２２】
解析部５２は、ＴＳ信号の圧縮された映像信号の伝送状態を解析し、解析データを生成し、生成部５３に出力する。生成部５３は、解析データを表示用の解析データに変換（統合）し、画像生成部部３５に出力する。
【００２３】
画像生成部３５は、生成部３３によって生成された表示用のデータ（例えば、波形表示、ベクトルスコープ及び映像を同時に表示するためのデータ）と、生成部５３によって生成された表示用の解析データとを１つの画像（フレーム）データとして統合し、表示部３６に出力する。表示部３６は、１つの画像（フレーム）データを表示する。
【００２４】
なお、表示部３６が、１秒当たり、６０の画像（フレーム）データを表示する場合、生成部３３、５３及び３５は、それぞれ、１秒当たり、６０のデータを出力する。  生成部３３、５３及び３５は、それぞれ、別個の機能ブロックとして説明したが、これらの生成部３３、５３及び３５は、１つのＣＰＵとして構成することができる。また、生成部３３、５３及び３５は、それぞれ、１つのＣＰＵとして構成してもよい。さらに、変換部５１及び解析部５２も、生成部３３、５３及び３５とともに、１つのＣＰＵとして構成することができる。
【００２５】
図６は、表示部３６に表示される１例を表す。図６に示されるように、好ましくは、波形表示（右上）、ベクトルスコープ（左上）、映像（右下）及び解析結果（左下）は、同時に表示される。もっとも、波形表示、ベクトルスコープ、映像及び解析結果は、同時に表示しなくてもよい。
【００２６】
図６の例において、解析部５２において解析された項目は、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）が推奨するＥＴＲ２９０に規定されるＬＥＶＥＬ１〜３のうち、ＬＥＶＥＬ１及び２である。もっとも、解析部５２において解析される項目は、ＬＥＶＥＬ３に対応してもよい。
【００２７】
図６の例において、より具体的には、ＬＥＶＥＬ１の「ＴＳ  ＳＹＮＣ  ＬＯＳＳ」は、信号の同期状態を意味し、それが正常である旨（ＮＯＲＭＡＬ）が示されている。さらに、「ＳＹＮＣ  ＢＹＴＥ」は、同期情報を意味し、「ＰＡＴ」は、Ｐｒｏｇｒａｍ  Ａｓｓｏｃｉａｔｉｏｎ  Ｔａｂｌｅ（プログラムを構成するテーブル情報の指定）を意味し、「ＣＯＮＴＩＮＵＩＴＹ」は、データの時間的な連続性を意味し、「ＰＭＴ」は、Ｐｒｏｇｒａｍ  Ｍａｐ  Ｔａｂｌｅ（プログラムに与えられた番号とプログラムの要素（映像ストリーム、音声ストリームなど）との関係を表すテーブル情報）を意味し、「ＰＩＤ」は、Ｐａｃｋｅｔ  Ｉｄｅｎｔｉｆｉｃａｔｉｏｎ（ストリームの識別番号）を意味する。
【００２８】
ＬＥＶＥＬ２の「ＴＲＡＮＳＰＯＲＴ」は、ストリームに存在する情報でエラーの有り無しを意味し、「ＣＲＣ」は、ＣＡＴ、ＰＡＴ、ＰＭＴ、ＮＩＴ、ＥＩＴ、ＳＤＴ、ＴＯＴテーブル等の解析結果を統合した結果を意味し、「ＰＣＲ」は、ＰＣＲ（Ｐｒｏｇｒａｍ  Ｃｌｏｃｋ  Ｒｅｆｅｒｅｎｃｅ＝時間情報）ジッタを含む不連続性、時間間隔等のパラメータの解析結果を統合した結果を意味し、「ＰＣＲ  ＡＣＣＵＲＡＣＹ」は、時間情報の精度を意味し、「ＰＴＳ」は、Ｐｒｅｓｅｎｔａｔｉｏｎ  Ｔｉｍｅ  Ｓｔａｍｐ（再生のための時間情報）を意味し、「ＣＡＴ」は、Ｃｏｎｄｉｔｉｏｎａｌ  Ａｃｃｅｓｓ  Ｔａｂｌｅ（番組の管理情報）を意味する。なお、ＬＥＶＥＬ１及び２の解析項目が正常でない場合、その旨（例えば、ＥＲＲＯＲ）を示す。
【００２９】
解析部５２において解析される項目は、ＥＴＲ２９０に規定される項目ではなく、独自に規定される項目であってもよい。また、解析部５２において解析される項目は、ＥＴＲ２９０に規定される項目のうち、少なくとも１つの項目でもよい。
【００３０】
ところで、例えば放送局においては、ＴＳ信号だけでなく、ＳＤＩ信号も併存する。したがって、波形表示装置４１は、従来通り、ＳＤＩ信号を処理できることが好ましい。図７は、本発明の波形表示装置４１のもう１つの概略的な機能ブロック図を表す。図７に示すように、波形表示装置４１は、変換部５１及び解析部５２において、１つのＴＳ信号を入力し、また、変換部３１及び解析部３２において、ＳＤＩ信号を入力する。なお、変換部５１及び解析部５２の動作は、図５を参照しながら説明した動作と同様である。
【００３１】
変換部３１は、ＳＤＩ信号をパラレルデータに変換し、生成部３３に出力する。ユーザによって、ＳＤＩ信号が選択されている場合、生成部３３は、変換部３１からのパラレルデータを波形表示データ（好ましくは、及び、ベクトルスコープデータ及び／又は映像データ）に変換し、また、パラレルデータから生成したデータを表示用のデータ（例えば、波形表示、ベクトルスコープ及び映像を同時に表示するためのデータ）に変換（統合）し、画像生成部３５に出力する。ユーザによって、ＴＳ信号が選択されている場合、生成部３３は、図５を参照しながら説明した動作と同様である。
【００３２】
解析部３２は、ＳＤＩ信号の伝送状態を解析し、解析データを生成し、生成部３４に出力する。ユーザによって、ＳＤＩ信号が選択されている場合、生成部３４は、解析部３２からの解析データを表示用の解析データに変換（統合）し、画像生成部３５に出力する。ユーザによって、ＴＳ信号が選択されている場合、生成部３４は、図５を参照しながら説明した生成部５３の動作と同様である。
画像生成部３５は、図５を参照しながら説明した画像生成部３５の動作と同様である。
【００３３】
なお、生成部３３、３４及び３５は、それぞれ、別個の機能ブロックとして説明したが、これらの生成部３３、３４及び３５は、１つのＣＰＵとして構成することができる。また、生成部３３、３４及び３５は、それぞれ、１つのＣＰＵとして構成してもよい。さらに、変換部５１及び解析部５２並びに変換部３１及び解析部３２も、生成部３３、３４及び３５とともに、１つのＣＰＵとして構成することができる。
【００３４】
ユーザによって、ＳＤＩ信号が選択されている場合、表示部３６は、図３と同様に、好ましくは、波形表示（右上）、ベクトルスコープ（左上）、映像（右下）及び解析結果（左下）を同時に表示する。もっとも、波形表示、ベクトルスコープ、映像及び解析結果は、同時に表示しなくてもよい。ユーザによって、ＴＳ信号が選択されている場合、表示部３６は、図６と同様に、表示する。
【００３５】
図３の例と同様に、解析部３２において解析された項目には、全米映画テレビジョン技術者協会（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）が規格化している２９２Ｍで定義しているパラメータが含まれる。
【００３６】
図３の例と同様に、より具体的には、ＳＤＩの「ＳＩＧＮＡＬ」は、ＳＤＩ信号が受信できているか否かを意味し、ＳＤＩ信号が受信できている状態である旨（ＤＥＴＥＣＴ）が示されている。さらに、「ＦＯＲＭＡＴ」は、映像信号のフォーマットを意味し、「ＴＲＳ」は、Ｔｉｍｉｎｇ  Ｒｅｆｅｒｅｎｃｅ  Ｓｉｇｎａｌ（同期信号）を意味し、「ＬＩＮＥ  ＮＵＭＢＥＲ」は、走査線の番号を意味し、「ＣＲＣ  ＬUＭＡ」は、輝度信号の伝送誤りの検出符号を意味し、「ＣＲＣ  ＣＨＲＯＭＡ」は、色信号の伝送誤りの検出符号を意味し、「ＲＥＳＥＲＶＥＤ  ＤＡＴＡ」は、禁止領域に存在するデータを意味する。
【００３７】
「ＶＩＤＥＯ」は、伝送されてきている映像信号を意味し、「ＬＥＶＥＬ  ＬＵＭＡ」は、輝度信号レベルが規定内にあるか否かを意味し、「ＬＥＶＥＬ  ＣＨＲＯＭＡ」は、色信号レベルが規定内にあるか否かを意味し、「ＧＵＭＡＴ」は、ＲＧＢ形式の映像信号のレベルを意味し、「ＣＯＭＰ  ＧＵＭＡＴ」は、映像信号を複合映像信号に変換した場合の複合映像信号のレベルを意味する。
【００３８】
「ＡＮＣ」は、映像及び音声以外の補助データを意味し、「ＰＡＲＩＴＹ」及び「ＣＨＥＣＫＳＵＭ」は、それぞれ、ＡＮＣのチェックデータを意味する。
「ＡＵＤＩＯ」（図３中の矢印１）は、伝送されてきている音声信号を意味し、「ＢＣＨ」は、伝送誤りの検出符号を意味し、「ＡＵＤＩＯ」（図３中の矢印２）は、音声ブロックの連続性を意味し、「ＣＲＣ」は、伝送誤りの検出符号を意味し、「ＧＲＯＵＰ」は、音声伝送規格上の選択されたグループを意味し、「ＣＨＡＮＮＥＬ」は、音声信号が伝送されている総チャンネル数を意味する。この例において、チャンネル数は、８である。
【００３９】
「ＥＴＣ」は、その他の情報を意味し、「ＲＥＦＥＲＥＮＣＥ」は、受信信号内の基準信号を波形表示装置の基準信号として使用しているか（ＩＮＴＥＲＮＡＬ）、或いは、外部から供給された信号を基準信号として使用しているか（ＥＸＴＥＲＮＡＬ）を意味し、「ＣＡＢＬＥ  ＬＥＮＧＴＨ」は、等価ケーブル長を意味し、「ＥＲＲＯＲ  ＣＯＵＮＴ」は、上記検出項目において所定の開始時刻（例えば、「０８：４５：３７」）からＥＲＲＯＲが起こった回数を意味し、「ＬＯＧ  ＭＯＤＥ」は、上記エラーの内容を記憶を開始したこと（ＬＯＧ  ＳＴＡＲＴＥＤ）、或いは、記憶を停止したこと（ＬＯＧ  ＳＴＯＰＰＥＤ）を意味する。
【００４０】
解析部３２において解析される項目は、２９２Ｍに規定される項目ではなく、独自の検出項目（例えば、上記「ＣＡＢＬＥ  ＬＥＮＧＴＨ」など）であってもよい。また、解析部３２において解析される項目は、２９２Ｍに規定される項目のうち、少なくとも１つの項目でもよい。
【００４１】
図８は、本発明の波形表示装置４１の他の概略的な機能ブロック図を表す。図５を参照しながら説明した動作と異なる動作のみを、以下に説明する。図５と比べて、図８に示す波形表示装置４１の変換部５１は、ＴＳ信号の圧縮された音声信号を第２パラレルデータに変換し、図８に示す波形表示装置４１は、第２パラレルデータを音声信号情報データに変換する手段（８１）をさらに備える。
【００４２】
具体的には、音声信号情報データに変換する手段（８１）は、第２パラレルデータを、例えば、レベル表示データに変換する。第２パラレルデータを音声信号情報データに変換する手段（８１）は、第２パラレルデータを、他の音声信号情報データ（例えば、音像表示データ、複数の音声チャンネル間の位相表示データ、複数の音声チャンネル間の位相波形表示データなど）にも変換することができる。第２パラレルデータを音声信号情報データに変換する手段（８１）は、音声信号情報データを表示用のデータ（例えば、レベル表示及音像表示を同時に表示するためのデータなど）に変換し、画像生成部３５に出力する。画像生成部３５は、ユーザによって設定された条件に従って、入力したデータを１つの画像（フレーム）データとして統合し、表示部３６に出力する。
【００４３】
ユーザによって、波形表示、ベクトルスコープ、映像及び解析結果が選択されている場合、表示部３６は、図６と同様に表示する。
図９〜図１２は、それぞれ、表示部３６に表示される１例を表す。ユーザによって、波形表示、映像、音声のレベル表示及び音像表示が選択されている場合、図９に示されるように、好ましくは、波形表示（右上）、映像（右下）、音声のレベル表示（左下）及び音像表示（左上）は、同時に表示される。ユーザによって、波形表示、映像、音声のレベル表示、位相表示及び位相波形表示が選択されている場合、図１０に示されるように、好ましくは、波形表示（右上）、映像（右下）、音声のレベル表示及び位相表示（左下）及び位相波形表示（左上）は、同時に表示される。ユーザによって、波形表示、映像、レベル表示及び位相波形表示が選択されている場合、図１０に示されるように、好ましくは、波形表示（右上）、映像（右下）、音声のレベル表示（左下）及び位相波形表示（左上）は、同時に表示される。
【００４４】
なお、本発明は、上述の実施形態に限定されず、また、当業者は、上述の実施形態を特許請求の範囲に含まれる範囲まで、容易に変更することができるであろう。例えば、図４において、ＴＳ信号の代わりに、ＤＶストリーム信号が、放送局Ａから伝送される場合、図５の変換部５１は、ＤＶストリーム信号の圧縮された映像信号をパラレルデータに変換し、解析部５２は、ＤＶストリーム信号の圧縮された映像信号の伝送状態を解析する。解析部５２において解析される項目は、例えば、１３９４  Ｔｒａｄｅ  Ａｓｓｏｃｉａｔｉｏｎが推奨するＩＥＥＥ  １３９４に規定される項目であり、その項目の中には、伝送データの良否を意味する「ＤＡＴＡ  ＣＲＣ」などがある。
【図面の簡単な説明】
【００４５】
【図１】例えば放送局における映像信号の流れを概略的に説明するための図である。
【図２】波形表示装置２５の概略的な機能ブロック図である。
【図３】生成部３３によって生成された波形表示データ、ベクトルスコープデータ及び映像データ、並びに、生成部３４によって生成された解析データを表示する１例を表す。
【図４】本発明に従った、例えば放送局における映像信号の流れを概略的に説明するための図である。
【図５】本発明の波形表示装置４１の概略的な機能ブロック図を表す。
【図６】表示部３６に表示される１例を表す。
【図７】本発明の波形表示装置４１のもう１つの概略的な機能ブロック図を表す。
【図８】本発明の波形表示装置４１の他の概略的な機能ブロック図を表す。
【図９】表示部３６に表示される１例を表す。
【図１０】表示部３６に表示される１例を表す。
【図１１】表示部３６に表示される１例を表す。
【図１】
2006279175.tif 000003
【図２】
2006279175.tif 000004
【図３】
2006279175.tif 000005
【図４】
2006279175.tif 000006
【図５】
2006279175.tif 000007
【図６】
2006279175.tif 000008
【図７】
2006279175.tif 000009
【図８】
2006279175.tif 000010
【図９】
2006279175.tif 000011
【図１０】
2006279175.tif 000012
【図１１】
2006279175.tif 000013